(57)【要約】      （修正有）【課題】複数の発光素子の発光制御をおこなうことにより、ろうそくの炎の形状に近い光像が得られる電飾器を提供する。【解決手段】発光素子Ａと、発光素子Ａから所定距離だけ下方に配設された発光素子Ｂ，Ｃと、発光素子Ａ，Ｂ，Ｃの発光方向前方に配設されて当該発光素子Ａ，Ｂ，Ｃからの光を拡散させるスクリーンフード２１と、発光素子Ａを所定のパターンで明滅発光させるとともに、発光素子Ｂ，Ｃを連続発光させる発光制御回路を備える。【選択図】図５
0003147775.tif 000002
【実用新案登録請求の範囲】
【請求項１】
少なくとも１つの発光素子を有する第１発光部と、
前記第１発光部から所定距離だけ下方に配設され、少なくとも１つの発光素子を有する第２発光部と、
前記第１発光部及び前記第２発光部の発光方向前方に配設され、当該第１発光部及び当該第２発光部からの光を拡散させるスクリーンフードと、
前記第１発光部及び前記第２発光部の発光を制御する発光制御手段と、
を備えた電飾器であって、
前記発光制御手段は、前記第１発光部を所定のパターンで明滅発光させるとともに、前記第２発光部を連続発光させることを特徴とする電飾器。
【請求項２】
前記第２発光部は、上下方向に配列された少なくとも２つの発光素子を有することを特徴とする請求項１に記載の電飾器。
【請求項３】
前記第１発光部及び前記第２発光部は、下段側に向かって次第に数量が多くなるように、上下方向に複数段配列された発光素子を合わせて有することを特徴とする請求項１に記載の電飾器。
【請求項４】
前記第１発光部及び前記第２発光部は、最上段から中途段までは次第に数量が多くなり、当該中途段から最下段までは次第に数量が少なくなるように、上下方向に複数段配列された発光素子を合わせて有することを特徴とする請求項１に記載の電飾器。
【請求項５】
前記スクリーンフードよりも手前側で前記第１発光部及び前記第２発光部の表面を覆うとともに、橙色に着色された透明のカバー部を備え、
前記第１発光部及び前記第２発光部は、白色に発光することを特徴とする請求項１〜４の何れか一項に記載の電飾器。
【請求項６】
前記第１発光部及び前記第２発光部は、橙色に発光することを特徴とする請求項１〜４の何れか一項に記載の電飾器。
【請求項７】
前記スクリーンフードは、乳白色に着色された半透明状のプラスチック又はガラスで形成されたことを特徴とする請求項１〜６の何れか一項に記載の電飾器。
【請求項８】
前記スクリーンフードは、表面にシボ加工、ブラスト加工又はエンボス加工が施されたプラスチック若しくはガラスで形成されたことを特徴とする請求項１〜６の何れか一項に記載の電飾器。
【請求項９】
前記スクリーンフードは、布又は和紙で形成されたことを特徴とする請求項１〜６の何れか一項に記載の電飾器。
【請求項１０】
前記発光制御手段は、互いに異なる周期の別々の点灯制御信号を所定の時間間隔で交互に切り替えた点灯制御信号によって前記第１発光部の発光を制御することを特徴とする請求項１〜９の何れか一項に記載の電飾器。
【請求項１１】
前記第１発光部及び前記第２発光部からの光が各組で異なる四方へ向くよう、当該第１発光部，当該第２発光部及び前記スクリーンフードを４組備えた火袋部と、
前記火袋部の上部に配設された笠部と、
前記火袋部の下部を支持する台座部と、
からなる灯篭型に形成されたことを特徴とする請求項１〜１０の何れか一項に記載の電飾器。
【考案の詳細な説明】
【技術分野】
【０００１】
本考案は、電飾器に関する。
【背景技術】
【０００２】
従来、電飾器として、複数の発光素子を等間隔に基板の上に取り付け、この基板を覆い、ろうそくの炎をイメージする形状をして、光を拡散および透過する第１カバーと、第１のカバーの外側に設けて少なくとも側面の一部または全部が光を拡散および透過する第２のカバーを設けたものが知られている（例えば、特許文献１）。このように構成された発光素子は、電源を印加すると、個々の周期でそれぞれ明暗を変化させながら点灯し、個々の明暗で点灯させられた明かりは重なり合って、さらに第１のカバーおよび第２のカバーで拡散および透過されて、第２のカバーの外から見るとろうそくの炎に近いあかりを実現することができる。
【特許文献１】特開２００４−７１３７６号公報
【考案の開示】
【考案が解決しようとする課題】
【０００３】
しかしながら、上記特許文献１に記載の電飾器では、発光素子をドーム状の第１カバーで覆っているだけなので、外部から視認できる光像は卵形に近く、ろうそくの炎の形状を表現するには十分でなかった。なぜなら、ろうそくの炎の形状は炎の基端が丸く、先端が尖っているのに対して、上記特許文献１に記載の電飾器では、上述のように、光像は上下とも丸まっているからである。
【０００４】
本考案は、かかる問題点を解決するためになされたもので、ろうそくの炎の形状に近い光像が得られる電飾器を提供することを目的とする。
【課題を解決するための手段】
【０００５】
前記の課題を解決するために、請求項１に記載の考案は、
少なくとも１つの発光素子を有する第１発光部と、
前記第１発光部から所定距離だけ下方に配設され、少なくとも１つの発光素子を有する第２発光部と、
前記第１発光部及び前記第２発光部の発光方向前方に配設され、当該第１発光部及び当該第２発光部からの光を拡散させるスクリーンフードと、
前記第１発光部及び前記第２発光部の発光を制御する発光制御手段と、
を備えた電飾器であって、
前記発光制御手段は、前記第１発光部を所定のパターンで明滅発光させるとともに、前記第２発光部を連続発光させることを特徴とする。
【０００６】
請求項２に記載の考案は、請求項１に記載の電飾器であって、
前記第２発光部は、上下方向に配列された少なくとも２つの発光素子を有することを特徴とする。
【０００７】
請求項３に記載の考案は、請求項１に記載の電飾器であって、
前記第１発光部及び前記第２発光部は、下段側に向かって次第に数量が多くなるように、上下方向に複数段配列された発光素子を合わせて有することを特徴とする。
【０００８】
請求項４に記載の考案は、請求項１に記載の電飾器であって、
前記第１発光部及び前記第２発光部は、最上段から中途段までは次第に数量が多くなり、当該中途段から最下段までは次第に数量が少なくなるように、上下方向に複数段配列された発光素子を合わせて有することを特徴とする。
【０００９】
請求項５に記載の考案は、請求項１〜４の何れか一項に記載の電飾器であって、
前記スクリーンフードよりも手前側で前記第１発光部及び前記第２発光部の表面を覆うとともに、橙色に着色された透明のカバー部を備え、
前記第１発光部及び前記第２発光部は、白色に発光することを特徴とする。
【００１０】
請求項６に記載の考案は、請求項１〜４の何れか一項に記載の電飾器であって、
前記第１発光部及び前記第２発光部は、橙色に発光することを特徴とする。
【００１１】
請求項７に記載の考案は、請求項１〜６の何れか一項に記載の電飾器であって、
前記スクリーンフードは、乳白色に着色された半透明状のプラスチック又はガラスで形成されたことを特徴とする。
【００１２】
請求項８に記載の考案は、請求項１〜６の何れか一項に記載の電飾器であって、
前記スクリーンフードは、表面にシボ加工、ブラスト加工又はエンボス加工が施されたプラスチック若しくはガラスで形成されたことを特徴とする。
【００１３】
請求項９に記載の考案は、請求項１〜６の何れか一項に記載の電飾器であって、
前記スクリーンフードは、布又は和紙で形成されたことを特徴とする。
【００１４】
請求項１０に記載の考案は、請求項１〜９の何れか一項に記載の電飾器であって、
前記発光制御手段は、互いに異なる周期の別々の点灯制御信号を所定の時間間隔で交互に切り替えた点灯制御信号によって前記第１発光部の発光を制御することを特徴とする。
【００１５】
請求項１１に記載の考案は、請求項１〜１０の何れか一項に記載の電飾器であって、
前記第１発光部及び前記第２発光部からの光が各組で異なる四方へ向くよう、当該第１発光部，当該第２発光部及び前記スクリーンフードを４組備えた火袋部と、
前記火袋部の上部に配設された笠部と、
前記火袋部の下部を支持する台座部と、
からなる灯篭型に形成されたことを特徴とする。
【考案の効果】
【００１６】
請求項１に記載の考案によれば、第１発光部と、第１発光部から所定距離だけ下方に配設された第２発光部と、第１発光部及び第２発光部からの光を拡散させるスクリーンフードと、第１発光部を所定のパターンで明滅発光させるとともに第２発光部を連続発光させる発光制御手段と、を備えるので、第１発光部の発光でろうそく先端の揺らぎや瞬きの様を表現した光像がスクリーンフードを介して得られることになる。その結果、従来に比べ、更にろうそくの炎の形状に近い光像が得られることになる。
【００１７】
請求項５に記載の考案によれば、第１発光部及び第２発光部は、橙色に着色された透明のカバー部によってスクリーンフードよりも手前側で表面を覆われるとともに、白色に発光するので、ろうそくの炎の色を模した光がスクリーンフードに投影されて、一層ろうそくの炎に近い光像が得られる。
【００１８】
請求項６に記載の考案によれば、第１発光部及び第２発光部は橙色に発光するので、請求項５と同様に、ろうそくの炎の色を模した光がスクリーンフードに投影されて、一層ろうそくの炎に近い光像が得られる。
【考案を実施するための最良の形態】
【００１９】
以下、本考案の実施の形態について、図を参照して説明する。
図１は本考案に係る電飾器１の斜視図、図２は電飾器１のうち後述の火袋部２の分解斜視図である。
【００２０】
図１に示すように、電飾器１は、灯篭を模した形状に形成されており、火袋部２，笠部３及び台座部４を含んで構成されている。
【００２１】
火袋部２は、六面体の火袋ケース２０の四方の面に嵌め込まれた４つの各スクリーンフード２１を通して、ろうそく様の光が四方へ発光されるように構成されている。火袋部２の内部には、図２に示すように、４つのスクリーンフード２１，…のほか、スクリーンフード２１，…と組を成す４つの発光部２２，…と、発光部２２，…を支持する台板２３と、が配設されている。なお、図２では、図示の簡略化のために火袋ケース２０の図示を省略している。
【００２２】
スクリーンフード２１，…は、組を成す発光部２２，…からの光を拡散するものであり、本実施の形態においては、乳白色に着色された半透明状のプラスチックで平板状に形成されている。但し、このスクリーンフード２１，…は、乳白色に着色された半透明状のものに限定されず、表面にシボ加工，ブラスト加工又はエンボス加工が施されたものとしてもよいし、プラスチックでなくガラスで形成されたものとしてもよい。更には、布又は和紙で形成されたものとしてもよい。
【００２３】
発光部２２，…は、組をなすスクリーンフード２１，…から所定の距離となるよう台板２３上の当該スクリーンフード２１，…寄りの位置にそれぞれ配置されて、組をなすスクリーンフード２１，…に向けて、ひいては火袋ケース２０の四方の面に向けて発光するものである。各発光部２２は、台板２３に固定されたスタンド２２１と、組をなすスクリーンフード２１に一方の面を向けてスタンド２２１に立設された基板２２２と、基板２２２の上記一方の面に所定間隔で上下方向に並設された３つの発光素子Ａ，Ｂ，Ｃと、基板２２２及び発光素子Ａ，Ｂ，Ｃを覆う透明のカバー部２２３と、を備えている。
【００２４】
このうち、発光素子Ａ，Ｂ，Ｃは白色に発光する発光ダイオードであり、カバー部２２３は橙色に着色されている。但し、これらの構成は、カバー部２２３を通した発光素子Ａ，Ｂ，Ｃの発光色によりろうそくの炎の色が表現できればよく、例えば、発光素子Ａ，Ｂ，Ｃを橙色に発光させて、カバー部２２３を設けないか或いは無色にする構成としてもよい。
なお、発光部２２のうち、最上段の発光素子Ａを含む部分が本考案に係る第１発光部であり、残る発光素子Ｂ，Ｃを含む部分が本考案に係る第２発光部である。但し、本考案に係る第１発光部及び第２発光部は、発光素子Ａ及び発光素子Ｂ，Ｃの構成に限定されず、それぞれ少なくとも１つの発光素子を有するものであればよい。
【００２５】
台板２３は、発光部２２，…を上面で支持するとともに、本考案に係る発光制御手段としての発光制御回路２４（図３参照）を内部に備えている。このうち発光制御回路２４については後に詳細に説明する。
【００２６】
笠部３は、図１に示すように、火袋部２の上部に配設された屋根であり、上部先端に宝珠を冠した略四角錐状に形成されている。
台座部４は、火袋部２の下部を支持する台であり、火袋部２を直接支持する平板状の中台部４１と、中台部４１を支持する円柱状の竿部４２と、竿部４２を支持する円板状の基礎部４３とが一体に構成されている。また、台座部４の内部には、電飾器１の電源となる電池（図示せず）が設置されている。
【００２７】
続いて、発光制御回路２４の構成について、図３，４を参照して説明する。
図３は発光制御回路２４の回路構成を示すブロック図であり、図４（ａ）〜（ｃ）は発光制御回路２４で生成される後述の点灯制御信号Ｘ，Ｙ，Ｚの波形図である。
【００２８】
発光制御回路２４は、電池及び発光素子Ａ，Ｂ，Ｃと接続されて当該発光素子Ａ，Ｂ，Ｃの発光を制御するためのものであり、特に、これら発光素子Ａ，Ｂ，Ｃのうち最上段の発光素子Ａの発光を制御するためのものである。この発光制御回路２４は、図３に示すように、基準信号発生部２４１と、第１デューティ制御部２４２と、第２デューティ制御部２４３と、切り替え信号発生部２４４と、駆動切り替え部２４５と、点灯ドライバ２４６とを含んで構成されている。
【００２９】
基準信号発生部２４１は、発光素子Ａを駆動するための基準信号を生成するためのものである。この基準信号としては、特に限定はされないが、８．２５Ｈｚの方形波の信号が生成される。
【００３０】
第１デューティ制御部２４２及び第２デューティ制御部２４３は、上記基準信号に基づいて、正弦波又は三角波の点灯制御信号Ｘ及び点灯制御信号Ｙを生成するためのものである。
ここに、第１デューティ制御部２４２及び第２デューティ制御部２４３は、基準信号発生部２４１からの基準信号のＯＮ／ＯＦＦのデューティ比を、特に限定はされないが、９８．７％〜６％の間で周期的に変化させる。但し、第１デューティ制御部２４２から出力される点灯制御信号Ｘと第２デューティ制御部２４３から出力される点灯制御信号Ｙとでは、デューティの変化の周期が異なっている。特に限定はされないが、第１デューティ制御部２４２から出力される点灯制御信号Ｘではデューティの変化の周期が０．１４Ｈｚ（図４（ａ）参照）となっており、第２デューティ制御部２４３から出力される点灯制御信号Ｙではデューティの変化の周期が０．２２Ｈｚ（図４（ｂ）参照）となっている。
【００３１】
切り替え信号発生部２４４は、発光素子Ａの駆動切り替えを行うためのタイミング信号を生成するためのものである。このタイミング信号としては、特に限定はされないが、２．８５Ｈｚの方形波の信号が生成される。
【００３２】
駆動切り替え部２４５は、第１デューティ制御部２４２及び第２デューティ制御部２４３の点灯制御信号Ｘ，Ｙに基づき発光素子Ａの点灯制御信号Ｚを生成するためのものである。具体的には、駆動切り替え部２４５は、切り替え信号発生部２４４からの駆動切り替えタイミング信号のハイ、ローの切り替えタイミングで、第１デューティ制御部２４２から出力される点灯制御信号Ｘと第２デューティ制御部２４３から出力される点灯制御信号Ｙとを交互に切り替えてなる点灯制御信号Ｚを生成する。
点灯ドライバ２４６は、点灯制御信号Ｚを反転させて発光素子Ａに供与する。
以上によって、発光素子Ａの発光は図４（ｃ）のように制御される。
【００３３】
また、発光制御回路２４は、上記の通り発光素子Ａを発光させると同時に、発光素子Ｂ，Ｃを定電流で連続発光させるように構成されている。
【００３４】
続いて、本考案に係る電飾器１の作用及び効果について、図５を参照して説明する。
電飾器１によれば、最上段の発光素子Ａを所定のパターンで明滅発光させるとともに、残る発光素子Ｂ，Ｃを連続発光させることにより、図５（ａ）に示すように、発光素子Ａの発光でろうそく先端の揺らぎや瞬きの様を表現した光像がスクリーンフードを介して得られることになる。その結果、従来に比べ、更にろうそくの炎の形状に近い光像が得られることになる。
【００３５】
また、発光素子Ａ，Ｂ，Ｃは、橙色に着色された透明のカバー部２２３によってスクリーンフード２１よりも手前側で表面を覆われるとともに、白色に発光するので、ろうそくの炎の色を模した光がスクリーンフードに投影されて、一層ろうそくの炎に近い光像が得られる。なお、発光素子Ａ，Ｂ，Ｃを橙色に発光させて、カバー部２２３を設けないか或いは無色にする構成としても、同様の効果が得られる。
【００３６】
以上、本考案の実施形態について説明したが、本考案は、上記実施形態に限定されるものではなく、その要旨を逸脱しない範囲で種々変形可能であることはいうまでもない。
例えば、上記実施形態では、発光素子Ａ，Ｂ，Ｃは、基板２２２の一方の面に所定間隔で上下方向に並設されるものとして記載したが、スクリーンフード２１と発光部２２との距離やスクリーンフード２１の素材等のほか、スクリーンフード２１に投影したい炎の形状に応じて、適宜変更することが可能である。例えば、図５（ｂ）に示すように、下段側に向かって次第に数量が多くなるよう上下方向に複数段（本図では４段）配列された発光素子Ａ，Ｂ，Ｃ，Ｄを設けて、全体的に下太りの炎の形状としてもよいし、図５（ｃ）に示すように、最上段から中途段（本図では３段目）までは次第に数量が多くなり、当該中途段から最下段までは次第に数量が少なくなるように、上下方向に複数段（本図では４段）配列された発光素子Ａ，Ｂ，Ｃ，Ｄを設けて、全体的に中太りの炎の形状としてもよい。なお、図５（ｂ），（ｃ）では、図示の都合上、発光素子Ａ，Ｂ，Ｃ，Ｄを小さく図示しているが、実際に小さくする必要はなく、基板２２２等を大きくしてもよい。
【図面の簡単な説明】
【００３７】
【図１】実施形態に係る電飾器の斜視図である。
【図２】火袋部の分解斜視図である。
【図３】発光制御回路の回路構成を示すブロック図である。
【図４】（ａ）（ｂ）（ｃ）発光制御回路で生成される点灯制御信号の波形図である。
【図５】（ａ）実施形態に係る発光部及び光像を示す図であり、（ｂ）発光部及び光像の別例を示す図であり、（ｃ）発光部及び光像の第二の別例を示す図である。
【符号の説明】
【００３８】
１        電飾器
２        火袋部
３        笠部
４        台座部
２０      火袋ケース
２１      スクリーンフード
２２      発光部
２３      台板
２４      発光制御回路
２２１    スタンド
２２２    基板
２２３    カバー部
２４１    基準信号発生部
２４２    第１デューティ制御部
２４３    第２デューティ制御部
２４４    切り替え信号発生部
２４５    駆動切り替え部
２４６    点灯ドライバ
Ａ，Ｂ，Ｃ  発光素子
Ｘ，Ｙ，Ｚ  点灯制御信号
【図１】
0003147775.tif 000003
【図２】
0003147775.tif 000004
【図３】
0003147775.tif 000005
【図４】
0003147775.tif 000006
【図５】
0003147775.tif 000007